(57)【要約】【課題】アンテナモジュールおよび該アンテナモジュールを使った無線通信装置を提供すること。【解決手段】アンテナモジュールおよび該アンテナモジュールを使った無線通信装置が提供される。アンテナモジュールは、少なくとも１つの無線信号を受信し、または送信するのに使用される。アンテナモジュールは、それぞれが下端部と中心線とを有する、３つの独立のアンテナを含む。下端部は、実質的に同じ平面上に配置されている。下端部は、実質的に直角三角形の形で配置されている。２つの隣接する下端部の間のそれぞれの距離は、無線信号の波長の４分の１より大きい。中心線のそれぞれと平面の間の挟角は、実質的に、５０°から８０°までの範囲にある。【選択図】  図３
0003129971.tif 000002
【実用新案登録請求の範囲】
【請求項１】
少なくとも１つの無線信号を受信し、または送信するのに使用されるアンテナモジュールであって、
それぞれが個々に、実質的に同じ平面上に配置されている下端部と、中心線とを有する３つのアンテナ
を備え、
前記下端部が実質的に直角三角形の形で配置されており、２つの隣接する下端部の間のそれぞれの距離が前記無線信号の波長の４分の１より大きく、前記中心線のそれぞれと前記平面の間の挟角が実質的に５０°から８０°までの範囲にあるアンテナモジュール。
【請求項２】
前記距離は、実質的に６ｃｍから７ｃｍまでの範囲にある請求項１に記載のアンテナモジュール。
【請求項３】
前記中心線のそれぞれと前記平面の間の前記挟角は実質的に６０°から７０°までの範囲にあり、前記挟角は実質的に同一である請求項１に記載のアンテナモジュール。
【請求項４】
前記直角三角形は中心点を有し、前記アンテナは前記中心点から外側に向かって放射状に傾いている請求項１に記載のアンテナモジュール。
【請求項５】
前記アンテナは同軸モノポールアンテナまたは同軸ダイポールアンテナである請求項１に記載のアンテナモジュール。
【請求項６】
前記アンテナはデュアルバンドアンテナである請求項５に記載のアンテナモジュール。
【請求項７】
前記アンテナは、複数の第１の無線信号および第２の無線信号を受信し、または送信するのに使用され、前記第１の無線信号の周波数帯域が２．４ＧＨｚから２．５ＧＨｚまでの範囲にあり、前記第２の無線信号の周波数帯域が４．９ＧＨｚから５．９ＧＨｚまでの範囲にある請求項６に記載のアンテナモジュール。
【請求項８】
前記アンテナはシングルバンドである請求項５に記載のアンテナモジュール。
【請求項９】
前記アンテナは、複数の第１の無線信号を受信し、または送信するのに使用され、前記第１の無線信号の前記周波数帯域は２．４ＧＨｚから２．５ＧＨｚまでの範囲にある請求項８に記載のアンテナモジュール。
【請求項１０】
前記アンテナは、複数の第２の無線信号を受信し、または送信するのに使用され、前記第２の無線信号の前記周波数帯域は４．９ＧＨｚから５．９ＧＨｚまでの範囲にある請求項８に記載のアンテナモジュール。
【請求項１１】
前記アンテナモジュールは多入力多出力（ＭＩＭＯ）アンテナモジュールである請求項１に記載のアンテナモジュール。
【請求項１２】
表面を有する第１のハウジングと、
少なくとも１つの無線信号を受信し、または送信するために前記第１のハウジングの外側に配置されている３つのアンテナであり、それぞれが個々に、前記表面上に配置されている下端部、および中心線を有する前記アンテナと、
前記無線信号を処理するために前記アンテナに電気的に接続されている処理装置と
を備え、
前記下端部が実質的に直角三角形の形で配置されており、２つの隣接する下端部の間のそれぞれの距離が無線信号の波長の４分の１より大きく、前記中心線と前記表面の間の各挟角が実質的に５０°から８０°までの範囲にある無線通信装置。
【請求項１３】
前記距離は実質的に６ｃｍから７ｃｍの範囲にある請求項１２に記載の無線通信装置。
【請求項１４】
前記中心線のそれぞれと前記平面の間の前記挟角は実質的に６０°から７０°までの範囲にあり、前記挟角は実質的に同一であり、前記直角三角形は中心点を有し、前記アンテナは前記中心点から外側に向かって放射状に傾いている請求項１２に記載の無線通信装置。
【請求項１５】
前記アンテナは同軸モノポールアンテナまたは同軸ダイポールアンテナである請求項１２に記載の無線通信装置。
【請求項１６】
前記アンテナはデュアルバンドアンテナである請求項１５に記載の無線通信装置。
【請求項１７】
前記アンテナは、複数の第１の無線信号および第２の無線信号を受信し、または送信するのに使用され、前記第１の無線信号の周波数帯域が２．４ＧＨｚから２．５ＧＨｚまでの範囲にあり、前記第２の無線信号の周波数帯域が４．９ＧＨｚから５．９ＧＨｚまでの範囲にある請求項１６に記載の無線通信装置。
【請求項１８】
前記アンテナはシングルバンドアンテナである請求項１５に記載の無線通信装置。
【請求項１９】
前記アンテナは、複数の第１の無線信号を受信し、または送信するのに使用され、前記第１の無線信号の前記周波数帯域は２．４ＧＨｚから２．５ＧＨｚまでの範囲にある請求項１８に記載の無線通信装置。
【請求項２０】
前記アンテナは、複数の第２の無線信号を受信し、または送信するのに使用され、前記第２の無線信号の前記周波数帯域は４．９ＧＨｚから５．９ＧＨｚまでの範囲にある請求項１８に記載の無線通信装置。
【請求項２１】
無線アクセスポイント装置である請求項１２に記載の無線通信装置。
【請求項２２】
ルータである請求項１２に記載の無線通信装置。
【請求項２３】
前記第１のハウジングは３つのピボットを有し、前記下端部は、前記ピボットを介して前記第１のハウジングに軸で回転するように接続されている請求項１２に記載の無線通信装置。
【請求項２４】
前記アンテナは前記アンテナの位置を調整するように前記ピボットの周りを回転する請求項２３に記載の無線通信装置。
【請求項２５】
多入力多出力（ＭＩＭＯ）システムである請求項１２に記載の無線通信装置。
【請求項２６】
前記処理装置はベースバンド集積回路（ベースバンドＩＣ）である請求項１２に記載の無線通信装置。
【請求項２７】
さらに第２のハウジングを有し、前記３つのアンテナは前記第２のハウジングの内側に位置しており、前記第２のハウジングが非金属材料で作られている請求項１２に記載の無線通信装置。
【考案の詳細な説明】
【関連出願】
【０００１】
本出願は、その内容が参照により本明細書に組み込まれる、２００６年５月３０日に出願された台湾特許出願第０９５２０９４３４号明細書の利益を主張するものである。
【技術分野】
【０００２】
本考案は、一般に、アンテナモジュールおよび該アンテナモジュールを使った無線通信装置に関し、より詳細には、多入力多出力（ＭＩＭＯ）により産業科学医療用（ＩＳＭ）帯域無線信号を受信／送信するアンテナモジュール、および該アンテナモジュールを使った無線通信装置に関する。
【背景技術】
【０００３】
無線通信システムは、伝送の速度と安定性の両方において著しい前進を遂げている。今や、無線通信システムは、デスクトップコンピュータ、ノート型コンピュータ、携帯情報端末（ＰＤＡ）、携帯電話、全地球測位システム（ＧＰＳ）などといったコンピュータおよびネットワークのデータ伝送において幅広く適用され、人々の日常生活にも業務にも多大な利便性をもたらしている。米国特許第７１０２５７６号明細書では、閉端部および側部を含む円柱状のホルダと、ホルダの閉端部に接続されている一端部を含むロッドとを備える無線通信用アンテナが開示された。
【０００４】
無線通信システムは、アンテナモジュールを使って無線信号を受信し、または送信する。しかしながら、長距離伝送の後、無線信号の強度は、次第に減衰するはずである。無線信号のフェージングは、特に、無線信号の伝送路に、無線信号が反射し、貫通し、または散乱するような状態で障害物が位置しているときに発生する。したがって、信号対雑音比が急落し、信号伝送の品質に重大な影響を及ぼし、伝送速度を低下させるはずである。例えば、９０ｍの距離を例に取ると、８０２．１１ｇ信号の伝送速度は、無線信号のフェージングのために平均で１〜２メガビット／秒（Ｍｂｐｓ）まで低下するはずである。
【０００５】
図１を参照すると、従来の無線通信装置３００の図が示されている。無線通信装置３００は、モノポールまたはダイポールアンテナ３１０を含む。自由空間では、水平方向（ＸＹ平面）にはほぼ全方向の放射パターンがあるが、垂直方向（Ｚ方向）にはほとんど放射がない。
【０００６】
図２を参照すると、別の従来の無線通信装置６００の図が示されている。無線通信装置６００は、４つのアンテナ６１０、６２０、６３０、６４０を含む。これら４つのアンテナは、特定のサイズを有する４つの個別アンテナ６１０、６２０、６３０、６４０が、それら４つのアンテナ６１０、６２０、６３０、６４０が特定の方向で組み込まれているときに最大の信号強度を達成することができるようなアンテナアレイを形成する。
【考案の開示】
【考案が解決しようとする課題】
【０００７】
しかしながら、住環境や、オフィスや、工場には、無線信号をフェードアウトさせる、床、壁、金属など多数の障害物がある。無線通信装置３００、６００の適用においては、モノポールアンテナ、ダイポールアンテナ、またはアンテナアレイは、通信品質を劣化させ、または伝送速度を低下させる無線信号の受信および送信における不感帯に遭遇しやすいはずである。したがって、通信品質を改善し、伝送速度を増大させるためにアンテナモジュールおよび該アンテナモジュールを使った無線通信装置をどのようにして開発するかが、解決すべき差し迫った問題となっている。
【課題を解決するための手段】
【０００８】
したがって、本考案の目的は、アンテナモジュールおよび該アンテナモジュールを使った無線通信装置を提供することである。３つのアンテナの下端部は、実質的に、直角三角形の形に配置されている。２つの隣接する下端部の間のそれぞれの距離は、無線信号の波長の４分の１より大きい。アンテナの各中心線と平面の間の挟角は、アンテナモジュールが準全方向性アンテナを形成するように、実質的に、５０°から８０°までの範囲にある。よって、アンテナモジュールおよび該アンテナモジュールを使った無線通信装置は、さらに、無線信号の受信および送信における不感帯を低減させ、無線信号の受信および送信の安定性を確保し、無線信号の受信および送信速度を増大させ、無線信号の受信および送信における信号強度を改善するという利点を有する。
【０００９】
本考案は、アンテナモジュールを提供することによって前述の目的を達成する。このアンテナモジュールは、少なくとも１つの無線信号受信し、または送信するのに使用される。このアンテナモジュールは、それぞれが下端部と中心線とを有する、３つの独立のアンテナを含む。３つの下端部は、実質的に、同じ平面上に配置されている。３つの下端部は、実質的に、直角三角形の形で配置されている。２つの隣接する下端部の間のそれぞれの距離は、無線信号の波長の４分の１より大きい。中心線のそれぞれと平面の間の挟角は、実質的に、５０°から８０°までの範囲にある。
【００１０】
本考案は、さらに、無線通信装置を提供することによって前述の目的を達成する。この無線通信装置は、ハウジングと、３つのアンテナと、処理装置とを含む。ハウジングは表面を有する。３つのアンテナは、少なくとも１つの無線信号を受信し、送信するために第１のハウジングの外側に配置されている。第１のハウジングは、金属または非金属材料で作られている。３つのアンテナのそれぞれは、下端部と中心線とを有する。３つの下端部は、表面上に配置されている。処理装置は、無線信号を処理するために３つのアンテナに電気的に接続されている。３つの下端部は、実質的に直角三角形の形で配置されている。２つの隣接する下端部の間のそれぞれの距離は、無線信号の波長の４分の１より大きい。３つの中心線のそれぞれと表面の間の挟角は、実質的に、５０°から８０°までの範囲にある。３つのアンテナは、選択的に、非金属の第２のハウジングの内側に取り囲まれている。
【００１１】
本考案のその他の目的、特徴および利点は、以下の好ましいが限定的ではない実施形態の詳細な説明を読めば明らかになるであろう。以下の説明を、添付の図面を参照して行う。
【考案を実施するための最良の形態】
【００１２】
図３〜５を参照する。図３は、本考案による無線通信装置１００の図である。図４は、図３の無線通信装置１００の上面図である。図５は、図３の無線通信装置１００を示すブロック図である。無線通信装置１００は、ハウジング１３０と、アンテナ１１１と、アンテナ１１２と、アンテナ１１３と、（図５に示す）処理装置１２０とを含む。ハウジング１３０は表面１３０ａを有する。アンテナ１１１、１１２、１１３は少なくとも１つの無線信号の受信および／または送信のために、ハウジング１３０の外側に配置されている。アンテナ１１１、１１２、１１３は、それぞれ、下端部Ｂ１１１、Ｂ１１２、Ｂ１１３と、中心線Ｌ１１１、Ｌ１１２、Ｌ１１３とを有する。下端部Ｂ１１１、Ｂ１１２、Ｂ１１３は、表面１３０ａ上に配置されている。
【００１３】
図３に示すように、挟角θ１１１、θ１１２、θ１１３は、それぞれ、中心線Ｌ１１１、Ｌ１１２、Ｌ１１３と表面１３０ａの間に挟まれている。挟角θ１１１、θ１１２、θ１１３のそれぞれは、実質的に、５０°から８０°までの範囲にある。
【００１４】
図４に示すように、下端部Ｂ１１１、Ｂ１１２、Ｂ１１３は、実質的に直角三角形４００の形で配置される。距離Ｄ１、Ｄ２、Ｄ３のそれぞれは、無線信号の波長の４分の１より大きい。３つの距離Ｄ１、Ｄ２、Ｄ３の内、距離Ｄ１は、下端部Ｂ１１１と下端部Ｂ１１２の間の距離に対応し、距離Ｄ２は、下端部Ｂ１１２と下端部Ｂ１１３の間の距離に対応し、距離Ｄ３は、下端部Ｂ１１３と下端部Ｂ１１１の間の距離に対応する。
【００１５】
図５に示すように、処理装置１２０は、少なくとも１つの無線信号を処理するために、アンテナ１１１、１１２、１１３に電気的に接続されている。
【００１６】
前述の開示によれば、アンテナモジュール１１０および本考案の該アンテナモジュール１１０を使った無線通信装置１００は、前述の技術の特性によって準全方向アンテナを実現する。
【００１７】
無線通信装置１００の例には、無線アクセスポイント装置、ルータ、無線基地局、テレビ、テレビ受信機、および、ノート型コンピュータ、携帯情報端末（ＰＤＡ）、携帯電話、全地球測位システム（ＧＰＳ）受信装置などの携帯用通信装置が含まれる。無線通信装置１００には多くの種類があり、本考案は、無線信号を受信／送信する様々な電子装置に適用することができる。
【００１８】
アンテナ１１１、１１２、１１３は、シングルバンドまたはデュアルバンドを有する同軸モノポールアンテナまたは同軸ダイポールアンテナである。本考案の実施形態において、アンテナ１１１、１１２、１１３は、いくつかの第１の無線信号Ｓ１および第２の無線信号Ｓ２を受信／送信することのできるデュアルバンドアンテナである。第１の無線信号Ｓ１の周波数帯域および第２の無線信号Ｓ２の周波数帯域の例には、産業科学医療用（ＩＳＭ）帯域が含まれる。第１の無線信号Ｓ１の周波数帯域は２．４ＧＨｚから２．５ＧＨｚまでの範囲にあり、第２の無線信号Ｓ２の周波数帯域は４．９ＧＨｚから５．９ＧＨｚまでの範囲にある。
【００１９】
図４に示すように、距離Ｄ１は、下端部Ｂ１１１と下端部Ｂ１１２の間の距離に対応し、距離Ｄ２は、下端部Ｂ１１２と下端部Ｂ１１３の間の距離に対応し、距離Ｄ３は、下端部Ｂ１１３と下端部Ｂ１１１の間の距離に対応する。距離Ｄ１、Ｄ２、Ｄ３は実質的に同じであり、それぞれ、第１の無線信号Ｓ１および第２の無線信号Ｓ２の波長の４分の１より大きい。実験の結果によれば、距離Ｄ１、Ｄ２、Ｄ３は、アンテナ１１１、１１２、１１３間の相関係数がゼロに接近するように、実質的に、６から７ｃｍに等しい。すなわち、アンテナ１１１、１１２、１１３には、第１の無線信号Ｓ１および第２の無線信号Ｓ２を受信し、または送信するときの相互干渉がない。
【００２０】
図４に示すように、アンテナ１１１、１１２、１１３は、無線通信装置１００に無線信号の受信および送信における不感帯がほとんどないように、直角三角形４００の中心点Ｃ４００から外側に向かって放射状に傾いている。
【００２１】
実験の結果によれば、アンテナ１１１、１１２、１１３と表面１３０ａの間の挟角θ１１１、θ１１２、θ１１３が実質的に同じであり、６０°から７０°までの範囲にあるとき、アンテナモジュール１１０および該アンテナモジュール１１０を使った無線通信装置１００は、最適化された無線信号の受信および送信を実現する。
【００２２】
図５に示すように、処理装置１２０は、ハウジング１３０の内側に配置されている。アンテナ１１１、１１２、１１３は、ハウジング１３０の外側に配置されており、処理装置１２０に電気的に接続されている。ハウジング１３０は、金属または非金属材料で作られている。第１の無線信号Ｓ１または第２の無線信号Ｓ２がインターネット５００によって送られた後で、第１の無線信号Ｓ１および第２の無線信号Ｓ２は、伝送路内で障害物に遭遇したときに反射し、または散乱する。反射し、または散乱した後で、第１の無線信号Ｓ１および第２の無線信号Ｓ２は、異なる角度で異なるレベルの信号フェージングを伴ってアンテナ１１１、１１２、１１３に送信される。次いで、アンテナ１１１、１１２、１１３が第１の無線信号Ｓ１または第２の無線信号Ｓ２を受信した後で、散乱した第１の無線信号Ｓ１または第２の無線信号Ｓ２は処理装置１２０に集められる。本考案の実施形態において、処理装置１２０は、ベースバンド集積回路（ベースバンドＩＣ）であり、ディジタル信号処理（ＤＳＰ）技術に従って、散乱した第１の無線信号Ｓ１または第２の無線信号Ｓ２を変調する。
【００２３】
反対に、処理装置１２０は、処理された特定の信号を、アンテナ１１１、１１２、１１３を介してインターネット５００に送信することもできる。アンテナ１１１、１１２、１１３は、信号を同時に送信すると共に、第１の無線信号Ｓ１または第２の信号Ｓ２が特定の障害物によって減衰されるのを回避することができる。
【００２４】
アンテナモジュール１１０は、アンテナ１１１、１１２、１１３を組み込むことによって多入力多出力（ＭＩＭＯ）アンテナモジュールを形成し、無線信号の受信および送信における不感帯を低減するのみならず、アンテナ同士の相互サポートによって無線信号の送信および受信の安定性を確保する。
【００２５】
図６と図３の両方を参照する。図６は、図３のアンテナモジュール１１０の図である。ハウジング１３０は３つのピボット１３１を有し、それらを介して下端部Ｂ１１１、Ｂ１１２、Ｂ１１３が軸で回転するようにハウジング１３０に接続されている。アンテナ１１１、１１２、１１３が、それぞれ、下端部Ｂ１１１、Ｂ１１２、Ｂ１１３を軸として使用し、Ｃ１１、Ｃ２１、Ｃ３１の方向に揺動するとき、アンテナ１１１、１１２、１１３は、表面１３０ａに接近した状態であっても、表面１３０ａから離れた状態であってもよい。そうすることによって、アンテナ１１１、１１２、１１３は、挟角θ１１１、θ１１２、θ１１３が、５０°から８０°まで、好ましくは、６０°から７０°までの範囲にあるような特定の位置に位置決めされるように揺動してもよい。
【００２６】
さらに、アンテナ１１１、１１２、１１３は、それぞれ、下端部Ｂ１１１、Ｂ１１２、Ｂ１１３を中心としてＣ１２、Ｃ２２、Ｃ３２の方向に揺動してもよい。アンテナ１１１、１１２、１１３が表面１３０ａに接近した状態にあり、Ｃ１２、Ｃ２２、Ｃ３２の方向に回転するとき、アンテナ１１１、１１２、１１３は、ハウジング１３０の表面１３０ａに対して内側へ収容される。
【００２７】
図７Ａ〜７Ｃと図８Ａ〜８Ｃの両方を参照する。図７Ａ〜７Ｃは、図３のアンテナモジュール１１０が、それぞれ、ＸＹ平面、ＸＺ平面およびＹＺ平面上で、２．４５ＧＨｚで動作するときの放射パターンである。図８Ａ〜８Ｃは、図３のアンテナモジュール１１０が、それぞれ、ＸＹ平面、ＸＺ平面およびＹＺ平面上で、５．２５ＧＨｚで動作するときの放射パターンである。２．４５ＧＨｚと５．２５ＧＨｚで動作するアンテナモジュール１１０の実験では、アンテナモジュール１１０の利得値は、それぞれ、８．４３５５２ｄｂｉと１０．３６０６２ｄｂｉである。受け取られる信号強度は、ＸＹ平面上であれ、ＸＺ平面上であれ、ＹＺ平面上であれ、非常に均一である。上記の実験結果によれば、本考案のアンテナモジュール１１０および該アンテナモジュール１１０を使った無線通信装置１００は、優れた通信品質を達成する。
【００２８】
本考案の実施形態のアンテナ１１１、１１２、１１３は、デュアルバンドアンテナで例示されているが、アンテナ１１１、１１２、１１３は、シングルバンドアンテナとすることもできる。アンテナ１１１、１１２、１１３は、いくつかの第１の無線信号Ｓ１を受信し、または送信するだけのために、あるいはいくつかの第２の無線信号Ｓ２を受信し、または送信するだけのために使用することもできる。３つのアンテナの下端部が直角三角形の形で配列され得るようにし、隣接する下端部の間の距離が無線信号の波長の４分の１より大きくなるようにし、中心線のそれぞれと表面の間の挟角が５０°から８０°までの範囲にあるようにすることによって実現される準全方向アンテナの任意の設計が、本考案の技術の範囲内に含まれるものである。
【００２９】
無線通信装置１００は、さらに、アンテナ１１１、１１２、１１３がその内側に位置している別のハウジングを備えていてもよい。この別のハウジングは、非金属材料で作られている。例えば、無線通信装置１００がテレビである場合、この別のハウジングは、その内部にアンテナ１１１、１１２、１１３が取り囲まれているテレビである。このハウジングは、非金属材料で作られており、アンテナ１１１、１１２、１１３の無線送信機能に影響を及ぼさない。
【００３０】
本考案の上記の実施形態で開示されているアンテナモジュールおよび該アンテナモジュールを使った無線通信装置によれば、３つのアンテナの下端部は実質的に直角三角形の形で配置されており、２つの隣接する下端部の間のそれぞれの距離は、無線信号の波長の４分の１より大きい。中心線のそれぞれと表面の間の挟角は、アンテナモジュールが準全方向性アンテナになり、アンテナモジュールおよび該アンテナモジュールを使った無線通信装置が以下の利点を備えるように、実質的に５０°から８０°までの範囲にある。
【００３１】
第１に、無線信号の受信および送信における不感帯が低減される。３つのアンテナは、直角三角形の中心点から外側に向かって放射状に傾いている。アンテナモジュールは、複数の角度で信号を受信し、送信することができ、そのため、信号の受信および送信の不感帯がほとんどない。
【００３２】
第２に、無線信号の受信および送信の安定性が確保される。本考案の３つのアンテナの下端部の間の距離は、無線信号の波長の４分の１より大きいため、３つのアンテナの間に相互干渉が存在せず、無線信号の受信および送信の安定性が改善され、無線信号の受信および送信の間、安定が維持される。
【００３３】
第３に、無線信号の受信／送信速度が増大する。本考案は、上記の３つのアンテナを使って、特定の角度で同時に無線信号を送信／受信し、準全方向の受信および送信性能を有する。本考案で開示するアンテナモジュールおよび該アンテナモジュールを使った無線通信装置によって、単位時間内に受信／送信されるデータ量は、大幅に増大する。言い換えると、無線信号の受信および送信速度が増大する。
【００３４】
第４に、無線信号の受信および送信における信号強度が改善される。反射し、または散乱した無線信号は、異なる角度で、異なるレベルの信号フェージングを伴って、３つのアンテナに送信される。それらの無線信号を受け取った後で、３つのアンテナは、散乱した無線信号を処理装置に集め、またはその逆の処理を行い、それによって、無線信号の受信および送信における信号対雑音比が大幅に増大する。
【００３５】
以上、本考案を、好ましい実施形態を例に取り、それに関して説明してきたが、本考案は、それだけに限定されるものではないことを理解すべきである。その反対に、様々な改変ならびに類似の構成および手順をカバーすることを意図するものであり、したがって、添付の実用新案登録請求の範囲には、そのようなすべての改変ならびに類似の構成および手順を包含するように、最も幅広い解釈が与えられるべきである。
【図面の簡単な説明】
【００３６】
【図１】従来の無線通信装置３００を示す図である。
【図２】別の従来の無線通信装置６００を示す図である。
【図３】本考案による無線通信装置１００を示す図である。
【図４】図３の無線通信装置１００を示す上面図である。
【図５】図３の無線通信装置１００を示すブロック図である。
【図６】図３のアンテナモジュール１１０を示す図である。
【図７Ａ】図３のアンテナモジュール１１０が、ＸＹ平面上で、２．４５ＧＨｚで動作するときの放射パターンを示す図である。
【図７Ｂ】図３のアンテナモジュール１１０が、ＸＺ平面上で、２．４５ＧＨｚで動作するときの放射パターンを示す図である。
【図７Ｃ】図３のアンテナモジュール１１０が、ＹＺ平面上で、２．４５ＧＨｚで動作するときの放射パターンを示す図である。
【図８Ａ】図３のアンテナモジュール１１０が、ＸＹ平面上で、５．２５ＧＨｚで動作するときの放射パターンを示す図である。
【図８Ｂ】図３のアンテナモジュール１１０が、ＸＺ平面上で、５．２５ＧＨｚで動作するときの放射パターンを示す図である。
【図８Ｃ】図３のアンテナモジュール１１０が、ＹＺ平面上で、５．２５ＧＨｚで動作するときの放射パターンを示す図である。
【符号の説明】
【００３７】
１００  無線通信装置
１１０  アンテナモジュール
１１１  アンテナ
１１２  アンテナ
１１３  アンテナ
Ｂ１１１  下端部
Ｂ１１２  下端部
Ｂ１１３  下端部
Ｌ１１１  中心線
Ｌ１１２  中心線
Ｌ１１３  中心線
θ１１１  挟角
θ１１２  挟角
θ１１３  挟角
１２０  処理装置
１３０  ハウジング
１３０ａ  表面
１３１  ピボット
４００  直角三角形
Ｃ４００  中心点
Ｄ１  距離
Ｄ２  距離
Ｄ３  距離
Ｓ１  第１の無線信号
Ｓ２  第２の無線信号
【図１】
0003129971.tif 000003
【図２】
0003129971.tif 000004
【図３】
0003129971.tif 000005
【図４】
0003129971.tif 000006
【図５】
0003129971.tif 000007
【図６】
0003129971.tif 000008
【図７Ａ】
0003129971.tif 000009
【図７Ｂ】
0003129971.tif 000010
【図７Ｃ】
0003129971.tif 000011
【図８Ａ】
0003129971.tif 000012
【図８Ｂ】
0003129971.tif 000013
【図８Ｃ】
0003129971.tif 000014